(57)【要約】【課題】ユーザの意志を反映した車両の消耗品の管理を実現し得る車両消耗品管理システム、端末装置、コンピュータプログラム及び車両消耗品管理方法を提供する。【解決手段】車両消耗品管理システムは、車両のゲートウェイ装置が消耗品に関する情報を収集してサーバ装置へ送信し、サーバ装置が受信した車両情報を記憶する。ユーザが使用するスマートフォンは、サーバ装置から車両情報を受信し、受信した車両情報と記憶部に記憶された判定条件とに基づいて、車両の消耗品の交換又は補充等を行うべき時期を判定し、判定結果を通知画面として表示してユーザに通知する。またスマートフォンは、交換時期を判定するための判定条件の設定操作を受け付けて、記憶部に記憶された判定条件の変更を行う。【選択図】図１
2018149825.tif 000002
【特許請求の範囲】
【請求項１】
車両に搭載され、前記車両の消耗品に係る情報を収集する情報収集部、及び、該情報収集部が収集した情報を車両外の装置へ送信する車両情報送信部を有する車載通信装置と、
前記車載通信装置が送信した情報を受信する車両情報受信部、該車両情報受信部が受信した情報を記憶する車両情報記憶部、及び、該車両情報記憶部に記憶した情報を端末装置へ送信する車両情報送信部を有する車外装置と、
前記車外装置が送信した情報を受信する車両情報受信部、該車両情報受信部が受信した情報及び所定の判定条件に基づいて、前記車両の消耗品の交換時期を判定する交換時期判定部、前記判定条件の設定操作を受け付ける受付部、該受付部が受け付けた設定操作に応じて前記判定条件を変更する条件変更部、並びに、該交換時期判定部の判定結果に基づいて前記車両の消耗品の交換時期を通知する通知部を有する端末装置と
を備えることを特徴とする車両消耗品管理システム。
【請求項２】
前記車載通信装置は、車両外への送信可否の設定を情報の種別毎に記憶した送信可否テーブルを有し、
前記車載通信装置の前記車両情報送信部は、前記送信可否テーブルにて送信が許可された情報を送信すること
を特徴とする請求項１に記載の車両消耗品管理システム。
【請求項３】
前記端末装置は、前記送信可否テーブルの設定操作を受け付ける受付部、及び、該受付部が受け付けた設定操作に応じた設定情報を前記車外装置へ送信する設定情報送信部を有し、
前記車外装置は、前記端末装置が送信した設定情報を受信する設定情報受信部、該設定情報受信部が受信した設定情報を記憶する設定情報記憶部、及び、該設定情報記憶部に記憶した情報を前記車載通信装置へ送信する設定情報送信部を有し、
前記車載通信装置は、前記車外装置が送信した設定情報を受信する設定情報受信部、及び、該設定情報受信部が受信した設定情報に基づいて前記送信可否テーブルの設定を更新する設定更新部を有すること
を特徴とする請求項２に記載の車両消耗品管理システム。
【請求項４】
前記端末装置の通知部は、前記交換時期判定部が判定した交換時期に至った消耗品又は交換時期まで所定期間内に至った消耗品に関する情報を含む第１通知画面を表示部に表示する処理を行うこと
を特徴とする請求項１乃至請求項３のいずれか１つに記載の車両消耗品管理システム。
【請求項５】
前記端末装置の通知部は、前記車両の消耗品と、各消耗品について前記交換時期判定部が判定した交換時期とを対応付けて一覧表示する第２通知画面を前記表示部に表示する処理を行うこと
を特徴とする請求項４に記載の車両消耗品管理システム。
【請求項６】
前記端末装置の通知部は、前記車両の消耗品と、各消耗品について前記交換時期判定部が判定に用いる前記判定条件とを対応付けて一覧表示する判定条件通知画面を前記表示部に表示する処理を行い、
前記端末装置の受付部は、前記表示部に表示された前記判定条件通知画面にて前記判定条件の設定操作を受け付けること
を特徴とする請求項４又は請求項５に記載の車両消耗品管理システム。
【請求項７】
前記判定条件通知画面には、各消耗品について設定されている前記判定条件と共に、推奨される判定条件の情報を表示すること
を特徴とする請求項６に記載の車両消耗品管理システム。
【請求項８】
車外装置から送信される車両の消耗品に係る情報を受信する車両情報受信部と、
前記車両情報受信部が受信した情報及び所定の判定条件に基づいて、前記車両の消耗品の交換時期を判定する交換時期判定部と、
前記判定条件の設定操作を受け付ける受付部と、
前記受付部が受け付けた設定操作に応じて前記判定条件を変更する条件変更部と、
前記交換時期判定部の判定結果に基づいて前記車両の消耗品の交換時期を通知する通知部と
を備えることを特徴とする端末装置。
【請求項９】
コンピュータを、
車外装置から送信される車両の消耗品に係る情報を受信する車両情報受信部と、
前記車両情報受信部が受信した情報及び所定の判定条件に基づいて、前記車両の消耗品の交換時期を判定する交換時期判定部と、
前記判定条件の設定操作を受け付ける受付部と、
前記受付部が受け付けた設定操作に応じて前記判定条件を変更する条件変更部と、
前記交換時期判定部の判定結果に基づいて前記車両の消耗品の交換時期を通知する通知部
として動作させることを特徴とするコンピュータプログラム。
【請求項１０】
車両にて消耗品に係る情報を収集して車外へ送信し、
前記車両が送信した情報及び所定の判定条件に基づいて前記車両の消耗品の交換時期を判定し、
前記判定条件の設定操作を受け付け、
受け付けた設定操作に応じて前記判定条件を変更し、
判定結果に基づいて前記車両の消耗品の交換時期を通知すること
を特徴とする車両消耗品管理方法。
【発明の詳細な説明】
【技術分野】
【０００１】
本発明は、車両の消耗品を管理する車両消耗品管理システム、端末装置、コンピュータプログラム及び車両消耗品管理方法に関する。
【背景技術】
【０００２】
車両には、例えばエンジンオイル、オイルフィルター、ワイパーブレードゴム及びバッテリー等の消耗品、即ち劣化又は消費等の要因により交換又は補充等が必要となる部品が多数搭載されている。従来、このような車両の消耗品の交換をユーザに促すためのシステムが提案されている。
【０００３】
例えば特許文献１においては、車両の消耗品の交換時期及び補充時期を判定し、交換又は補充が必要な消耗品を販売する販売店のデータベースにアクセスして在庫状況などを通知する車両の管理装置が提案されている。
【先行技術文献】
【特許文献】
【０００４】
【特許文献１】特開２００２−２６９２６０号公報
【発明の概要】
【発明が解決しようとする課題】
【０００５】
特許文献１に記載の管理装置では、車両の消耗品の交換又は補充が必要であるか否かを、予め定められた閾値に基づいて判定している。この判定に用いられる閾値は、例えば車両の製造会社又は消耗品の販売会社等が、消耗品の交換又は補充の推奨値として予め設定するものであり、いずれの車両においても共通の値となる。しかしながら、ユーザによる車両の使用頻度又は使用態様等により、消耗品の交換又は補充までの期間は増減する可能性がある。また、推奨される交換時期を過ぎても消耗品をできるだけ長く使いたいと考えるユーザもいれば、推奨される交換時期に至る前であっても走行の快適性などを優先して消耗品を交換したいと考えるユーザもいる。特許文献１に記載の管理装置は、消耗品の交換又は補充等を行うべきか否かの判定にユーザの意志が反映されることがなく、ユーザにとって必ずしも便利なものであるとは言い難いという問題があった。
【０００６】
本発明は、斯かる事情に鑑みてなされたものであって、その目的とするところは、ユーザの意志を反映した車両の消耗品の管理を実現し得る車両消耗品管理システム、端末装置、コンピュータプログラム及び車両消耗品管理方法を提供することにある。
【課題を解決するための手段】
【０００７】
本発明に係る車両消耗品管理システムは、車両に搭載され、前記車両の消耗品に係る情報を収集する情報収集部、及び、該情報収集部が収集した情報を車両外の装置へ送信する車両情報送信部を有する車載通信装置と、前記車載通信装置が送信した情報を受信する車両情報受信部、該車両情報受信部が受信した情報を記憶する車両情報記憶部、及び、該車両情報記憶部に記憶した情報を端末装置へ送信する車両情報送信部を有する車外装置と、前記車外装置が送信した情報を受信する車両情報受信部、該車両情報受信部が受信した情報及び所定の判定条件に基づいて、前記車両の消耗品の交換時期を判定する交換時期判定部、前記判定条件の設定操作を受け付ける受付部、該受付部が受け付けた設定操作に応じて前記判定条件を変更する条件変更部、並びに、該交換時期判定部の判定結果に基づいて前記車両の消耗品の交換時期を通知する通知部を有する端末装置とを備えることを特徴とする。
【０００８】
また、本発明に係る車両消耗品管理システムは、前記車載通信装置が、車両外への送信可否の設定を情報の種別毎に記憶した送信可否テーブルを有し、前記車載通信装置の前記車両情報送信部は、前記送信可否テーブルにて送信が許可された情報を送信することを特徴とする。
【０００９】
また、本発明に係る車両消耗品管理システムは、前記端末装置が、前記送信可否テーブルの設定操作を受け付ける受付部、及び、該受付部が受け付けた設定操作に応じた設定情報を前記車外装置へ送信する設定情報送信部を有し、前記車外装置は、前記端末装置が送信した設定情報を受信する設定情報受信部、該設定情報受信部が受信した設定情報を記憶する設定情報記憶部、及び、該設定情報記憶部に記憶した情報を前記車載通信装置へ送信する設定情報送信部を有し、前記車載通信装置は、前記車外装置が送信した設定情報を受信する設定情報受信部、及び、該設定情報受信部が受信した設定情報に基づいて前記送信可否テーブルの設定を更新する設定更新部を有することを特徴とする。
【００１０】
また、本発明に係る車両消耗品管理システムは、前記端末装置の通知部が、前記交換時期判定部が判定した交換時期に至った消耗品又は交換時期まで所定期間内に至った消耗品に関する情報を含む第１通知画面を表示部に表示する処理を行うことを特徴とする。
【００１１】
また、本発明に係る車両消耗品管理システムは、前記端末装置の通知部が、前記車両の消耗品と、各消耗品について前記交換時期判定部が判定した交換時期とを対応付けて一覧表示する第２通知画面を前記表示部に表示する処理を行うことを特徴とする。
【００１２】
また、本発明に係る車両消耗品管理システムは、前記端末装置の通知部が、前記車両の消耗品と、各消耗品について前記交換時期判定部が判定に用いる前記判定条件とを対応付けて一覧表示する判定条件通知画面を前記表示部に表示する処理を行い、前記端末装置の受付部は、前記表示部に表示された前記判定条件通知画面にて前記判定条件の設定操作を受け付けることを特徴とする。
【００１３】
また、本発明に係る車両消耗品管理システムは、前記判定条件通知画面には、各消耗品について設定されている前記判定条件と共に、推奨される判定条件の情報を表示することを特徴とする。
【００１４】
また、本発明に係る端末装置は、車外装置から送信される車両の消耗品に係る情報を受信する車両情報受信部と、前記車両情報受信部が受信した情報及び所定の判定条件に基づいて、前記車両の消耗品の交換時期を判定する交換時期判定部と、前記判定条件の設定操作を受け付ける受付部と、前記受付部が受け付けた設定操作に応じて前記判定条件を変更する条件変更部と、前記交換時期判定部の判定結果に基づいて前記車両の消耗品の交換時期を通知する通知部とを備えることを特徴とする。
【００１５】
また、本発明に係るコンピュータプログラムは、コンピュータを、車外装置から送信される車両の消耗品に係る情報を受信する車両情報受信部と、前記車両情報受信部が受信した情報及び所定の判定条件に基づいて、前記車両の消耗品の交換時期を判定する交換時期判定部と、前記判定条件の設定操作を受け付ける受付部と、前記受付部が受け付けた設定操作に応じて前記判定条件を変更する条件変更部と、前記交換時期判定部の判定結果に基づいて前記車両の消耗品の交換時期を通知する通知部として動作させることを特徴とする。
【００１６】
また、本発明に係る車両消耗品管理方法は、車両にて消耗品に係る情報を収集して車外へ送信し、前記車両が送信した情報及び所定の判定条件に基づいて前記車両の消耗品の交換時期を判定し、前記判定条件の設定操作を受け付け、受け付けた設定操作に応じて前記判定条件を変更し、判定結果に基づいて前記車両の消耗品の交換時期を通知することを特徴とする。
【００１７】
本発明においては、車両に搭載された車載通信装置が車両の消耗品に関する情報を収集して車外装置へ送信し、車外装置が受信した車両情報を記憶する。ユーザが使用する端末装置は、車外装置から車両情報を受信し、受信した情報と所定の判定条件とに基づいて、車両の消耗品の交換（補充）時期を判定し、判定結果をユーザに通知する。また端末装置は、交換時期を判定するための判定条件の設定操作をユーザから受け付けて、判定条件の変更を行う。
これにより、車両の消耗品の交換又は補充の時期を判定する判定条件にユーザの意志を反映させることが可能となる。また端末装置にて設定操作を受け付けることによって、ユーザが設定操作を行う利便性を向上することができる。
【００１８】
また本発明において車載通信装置は、情報の種別毎に車両外への送信可否を送信可否テーブルに記憶しておき、送信可否テーブルにて送信が許可された情報を車外装置へ送信し、送信が許可されていない情報は送信しない。これにより車載通信装置から車外装置へ不要な情報が送信されることを抑制し、通信の負荷を低減できる。
また端末装置は、車載通信装置の送信可否テーブルの設定操作を受け付けて、受け付けた操作に応じた設定情報を車外装置へ送信する。端末装置から設定情報を受信した車外装置は、設定情報を記憶すると共に、設定情報を車載通信装置へ送信する。車載通信装置は、車外装置から受信した設定情報に基づいて送信可否テーブルの更新を行う。これにより、ユーザの意志を反映させて、車載通信装置による情報の送信を制限することができる。
【００１９】
また本発明において端末装置は、交換時期に至った消耗品又は交換時期まで所定期間内に至った消耗品に関する情報を含む第１通知画面を表示部に表示する。これによりユーザは、端末装置に表示された第１通知画面を見ることによって車両の消耗品の交換要否を容易に判断することができる。
【００２０】
また本発明において端末装置は、車両の消耗品と交換時期とを対応付けて一覧表示する第２通知画面を表示部に表示する。これによりユーザは、端末装置に表示された第２通知画面を見ることによって、車両にどのような消耗品が備えられているか、及び、各消耗品の交換時期がどの程度迫っているか等を容易に把握することができる。
【００２１】
また本発明において端末装置は、車両の各消耗品について交換時期判定に用いる判定条件を対応付けて一覧表示する判定条件通知画面を表示部に表示すると共に、この判定条件通知画面にて判定条件の設定操作を受け付ける。これによりユーザは、各消耗品がどのような条件で交換が必要となるのかを容易に把握することができると共に、各自の判断で判定条件を容易に変更することができる。
なお端末装置は、各消耗品について設定されている判定条件を表示すると共に、推奨される判定条件を表示してもよい。これによりユーザは、判定条件が変更されているか否かを容易に判断することができると共に、自らが設定した判定条件と推奨される判定条件との差異を容易に把握することができる。
【発明の効果】
【００２２】
本発明による場合は、車両の消耗品の交換時期を判定するための判定条件の設定操作を端末装置にて受け付けて判定条件を変更し、この判定条件で消耗品の交換時期を判定してユーザに通知する構成とすることにより、車両の消耗品の交換又は補充の時期を判定する判定条件にユーザの意志を反映させることが可能となり、ユーザの意志を反映した車両の消耗品の管理を実現することができる。
【図面の簡単な説明】
【００２３】
【図１】本実施の形態に係る車両消耗品管理システムの構成を示す模式図である。
【図２】ゲートウェイ装置の構成を示すブロック図である。
【図３】サーバ装置の構成を示すブロック図である。
【図４】スマートフォンの構成を示すブロック図である。
【図５】スマートフォンが表示する通知画面の一例を示す模式図である。
【図６】スマートフォンが表示する通知画面の一例を示す模式図である。
【図７】スマートフォンが表示する通知画面の一例を示す模式図である。
【図８】ディーラー端末装置の構成を示すブロック図である。
【図９】車両のゲートウェイ装置が行う処理の手順を示すフローチャートである。
【図１０】サーバ装置が行う処理の手順を示すフローチャートである。
【図１１】スマートフォンが行う処理の手順を示すフローチャートである。
【図１２】ディーラー端末装置が行う処理の手順を示すフローチャートである。
【発明を実施するための形態】
【００２４】
図１は、本実施の形態に係る車両消耗品管理システムの構成を示す模式図である。本実施の形態に係る車両消耗品管理システムは、車両１に搭載されたゲートウェイ装置１０と、車外に設けられたサーバ装置３と、車両１のユーザが使用するスマートフォン５と、車両１のディーラー７に設置されたディーラー端末装置７０とが相互に通信を行って情報を交換することにより、車両１に搭載された各種の消耗品を管理するシステムである。本システムにおいて管理される車両１の消耗品には、例えばエンジンオイル、オイルフィルター、エアコンフィルター、ワイパーブレードゴム、発煙筒、バッテリー、タイヤ、ブレーキパッド、スパークプラグ、エアクリーナーエレメント、Ｖベルト、デフオイル、ミッションオイル、ＡＴフルード、クラッチ、ドライブシャフトダストブーツ、ダンパー、パワーステアリングフルード、プラグコード、タイミングベルト、サーモスタット、ラジエターホース、ブレーキホース、ブレーキキャリパー、タイロットエンド、フューエルフィルター、オルタネータブラシ、フューエルインジェクター、スプリング、ヘッドランプ、ウィンドウウォッシャー液、冷却水、及び／又は、ブレーキフルード等が含まれ得る。
【００２５】
ゲートウェイ装置１０は、車載通信装置であり、車両１の内外の装置との間で通信を行うことができる。ゲートウェイ装置１０は、車両１に搭載されたＥＣＵ（Electronic Control Unit）などの装置から、車両１の消耗品の交換時期を判定するために必要な情報を収集して蓄積している。ゲートウェイ装置１０は、例えば車両１のＩＧ（イグニッション）スイッチがオン／オフされるなどの所定タイミングで、収集した情報をサーバ装置３へ送信する。なお本実施の形態においては、車載通信装置をゲートウェイ装置１０とするが、これに限るものではなく、車両１に搭載された他のＥＣＵ又はカーナビゲーション装置等であってもよい。
【００２６】
サーバ装置３は、車両１の外部に設置される外部装置であり、例えば車両１の製造会社又は販売会社等が管理運営する装置である。サーバ装置３は、車両１のゲートウェイ装置１０から送信された情報を受信して記憶する。なおサーバ装置３は、複数の車両１との間で通信を行うことができ、複数のゲートウェイ装置１０から情報を受信するため、例えば車両１の識別情報などに対応付けてゲートウェイ装置１０から受信した情報を記憶しておく。またサーバ装置３は、ユーザが使用するスマートフォン５からの要求に応じて、記憶した車両１の情報を送信する。なお本実施の形態においてはサーバ装置３を一つの装置とするが、これに限るものではなく、複数のサーバ装置の協働により本実施の形態に係るサーバ装置３の機能を実現する構成であってもよい。
【００２７】
スマートフォン５は、車両１のユーザが使用する端末装置である。本実施の形態においては、ユーザが使用する端末装置をスマートフォン５とするが、これは一例であり、例えば携帯電話機、タブレット型端末装置、ノート型パソコン、ウェアラブル端末装置又は携帯型ゲーム機等の端末装置であってもよい。また端末装置は、可搬型の装置であることが好ましいが、据置型の装置であってもよく、例えばユーザの自宅に設けられた据置型パソコン又は車両１内に設けられたカーナビゲーション装置等であってもよい。スマートフォン５には本車両消耗品管理システムに関する処理を行うためのアプリケーションプログラム（以下、車両消耗品管理アプリという）がインストールされ、車両消耗品管理アプリが実行されることによってスマートフォン５が本車両消耗品管理システムの端末装置として機能する。
【００２８】
車両消耗品管理アプリを実行するスマートフォン５は、サーバ装置３との通信を行って所定の車両１に関する情報を取得する。スマートフォン５は、取得した情報に基づいて、車両１に搭載された各消耗品の交換（補充）時期を判定する処理を行い、判定結果をユーザに通知する。例えば車両１が１万ｋｍ走行する毎に交換することが推奨される消耗品が存在する場合、スマートフォン５は、車両１の走行距離をサーバ装置３から取得し、この消耗品が交換されてから車両１が走行した距離を算出し、算出した走行距離が１万ｋｍを超えるか否かを判定する。走行距離が１万ｋｍを超える場合、スマートフォン５は、この消耗品の交換時期に達したことを通知する。またスマートフォン５は、若干の余裕を設けて、走行距離が（１万ｋｍ−１０％）などの距離を超える場合に、消耗品の交換時期が近付いていることを通知してもよい。
【００２９】
本実施の形態に係る車両消耗品管理システムでは、車両１の消耗品の交換時期を判定するための判定条件を、ユーザがスマートフォン５を操作することによって変更することが可能である。上記の例では、交換時期の判定条件となる１万ｋｍという閾値を、任意に又はある程度の制約の範囲内で、ユーザが増減することができる。これにより本実施の形態に係る車両消耗品管理システムは、車両１の消耗品の交換時期を判定する判定条件にユーザの意志を反映させることが可能となり、ユーザの意志を反映した車両１の消耗品の管理を実現することができる。
【００３０】
ディーラー端末装置７０は、車両１のディーラー７に設置された装置であり、例えば据置型のコンピュータ、ノート型のコンピュータ又はタブレット型の端末装置等であってよい。ディーラー端末装置７０は、ディーラー７にて販売、検査又は修理等を行った車両１に関する情報を、ディーラー７の従業員又は整備員等が管理及び閲覧等するための装置である。車両１に関する情報はサーバ装置３（及び他のサーバ装置）が管理しており、ディーラー端末装置７０はインターネットなどを介してサーバ装置３にアクセスすることにより、車両１に関する情報の閲覧及び更新等を行うことができる。本実施の形態においては、例えば車両１の車検又は定期点検等において消耗品の交換又は補充等がディーラー７にて行われた場合に、交換又は補充等を行った消耗品に関する情報をディーラー７の作業者などがディーラー端末装置７０に入力する。ディーラー端末装置７０にて入力された交換情報はサーバ装置３へ送信され、サーバ装置３からスマートフォン５へ送信される。スマートフォン５は、サーバ装置３から受信した交換情報から消耗品が交換された日時等の情報を取得し、交換時期の判定の基準とすることができる。
【００３１】
図２は、ゲートウェイ装置１０の構成を示すブロック図である。本実施の形態に係るゲートウェイ装置１０は、処理部（プロセッサ）１１、記憶部（ストレージ）１２、車内通信部１３及び無線通信部１４等を備えて構成されている。処理部１１は、例えばＣＰＵ（Central Processing Unit）又はＭＰＵ（Micro-Processing Unit）等の演算処理装置を用いて構成され、記憶部１２に記憶されたプログラム（図示は省略する）を読み出して実行することにより、種々の演算処理及び制御処理等を行う。例えば処理部１１は、車両１に搭載された複数のＥＣＵ２間の通信を中継する処理、及び、車両１の内外の通信を中継する処理等を行う。また本実施の形態に係るゲートウェイ装置１０の処理部１１は、車両１の消耗品に関する情報を収集する処理、及び、収集した情報を車両１外のサーバ装置３へ送信する処理等を行う。
【００３２】
記憶部１２は、例えばフラッシュメモリ又はＥＥＰＲＯＭ（Electrically Erasable Programmable Read Only Memory）等の不揮発性のメモリ素子を用いて構成されている。記憶部１２は、処理部１１が実行するプログラム及びこの実行に必要なデータ等を記憶する。また本実施の形態に係るゲートウェイ装置１０の記憶部１２には、送信可否テーブル１２ａが記憶されている。送信可否テーブル１２ａは、車両１の車内ネットワークにて送受信される情報について、ゲートウェイ装置１０が車両１外のサーバ装置３へ送信することの可否を記憶したテーブルである。ゲートウェイ装置１０は、送信可否テーブル１２ａにて送信が許可された情報をサーバ装置３へ送信し、送信が許可されていない情報はサーバ装置３へ送信しない。
【００３３】
車内通信部１３は、車両１の車内ネットワークを構成する通信線が接続され、この通信線に接続されたＥＣＵ２との間で情報の送受信を行う。例えば車内通信部１３は、ＣＡＮ（Controller Area Network）の通信規格に従って情報の送受信を行う構成とすることができる。車内通信部１３は、ＥＣＵ２へ送信すべきデジタル情報が処理部１１から与えられた場合、この情報を電気信号に変換して通信線へ出力することによって情報の送信を行う。また車内通信部１３は、通信線の電位をサンプリングして取得することによりＥＣＵ２が送信した情報を受信し、受信した情報を処理部１１へ与える。本実施の形態に係るゲートウェイ装置１０は、車内通信部１３を２つ備えており、一方の車内通信部１３にて受信した情報を、他方の車内通信部１３から送信することによって、通信線間の情報の送受信を中継する。
【００３４】
無線通信部１４は、例えば携帯電話通信網又は無線ＬＡＮ（Local Area Network）等の無線通信を利用して、車両１外の装置との間で無線通信を行うことができ、これによりサーバ装置３との通信を行うことができる。無線通信部１４は、サーバ装置３へ送信すべき情報が処理部１１から与えられた場合、この情報を変調した信号をアンテナから出力することによって情報の無線送信を行うと共に、アンテナにて受信した信号を復調してサーバ装置３からの情報を受信し、受信した情報を処理部１１へ与える。なお本実施の形態においてはゲートウェイ装置１０が無線通信部１４を備える構成とするが、これに限るものではなく、ゲートウェイ装置１０が無線通信部１４を備えず、車両１に搭載された別の無線通信装置を介してゲートウェイ装置１０がサーバ装置３との通信を行う構成としてもよい。
【００３５】
また本実施の形態に係るゲートウェイ装置１０の処理部１１には、記憶部１２に記憶されたプログラムが実行されることによって、情報収集部２１、車両情報送信部２２、設定情報受信部２３及び設定更新部２４等のソフトウェア的な機能ブロックが実現される。情報収集部２１は、車内通信部１３にて受信した情報のうち、サーバ装置３へ送信すべき情報を収集して記憶部１２に記憶する処理を行う。本実施の形態においてゲートウェイ装置１０がサーバ装置３へ送信すべき情報は、車両１の消耗品の交換時期判定に必要な情報であり、例えば車両１の走行距離及び走行時間等の情報である。記憶部１２の送信可否テーブル１２ａには、例えば送信すべき情報に付されるＣＡＮのＩＤと、送信可否の設定とが対応付けて記憶される。なお送信可否テーブル１２ａには、少なくとも消耗品の交換時期判定に用いられ得る情報のＩＤについて送信可否設定が登録されていればよいが、車両１内にて送受信され得る全ての情報のＩＤについて送信可否設定が登録されていてもよい。また情報収集部２１は、記憶部１２の送信可否テーブル１２ａにおいて送信が許可された情報のみを収集する構成であってよいが、送信が許可されていない情報についても収集する構成としてもよい。送信が許可されていない情報を念のために収集しておくことで、この情報の送信が許可された場合に、ゲートウェイ装置１０は過去の情報をも送信することができる。
【００３６】
車両情報送信部２２は、情報収集部２１が収集して記憶部１２に記憶した情報を読み出して無線通信部１４へ与えることにより、この情報をサーバ装置３へ送信する処理を行う。このときに車両情報送信部２２は、記憶部１２の送信可否テーブル１２ａを参照し、送信が許可されている情報のみをサーバ装置３へ送信する。また車両情報送信部２２は、例えば車両１のＩＧスイッチがオン／オフに切り替えられた場合などの所定のタイミングで情報送信を行ってもよく、また例えば数分、数十分、数時間又は数日等の周期で情報送信を行ってもよい。ただし本実施の形態において車両情報送信部２２は、車両１のＩＧスイッチがオン状態へ切り替えられた場合に情報送信を行うものとする。また以下においては、車両１のゲートウェイ装置１０からサーバ装置３へ送信される情報を、車両情報と呼ぶ。
【００３７】
設定情報受信部２３は、サーバ装置３から送信される設定情報を、無線通信部１４にて受信する処理を行う。設定更新部２４は、設定情報受信部２３が受信したサーバ装置３からの設定情報に基づいて、記憶部１２に記憶された送信可否テーブル１２ａの設定を更新する処理を行う。本実施の形態に係る車両消耗品管理システムでは、交換時期判定の対象とする車両１の消耗品、即ち管理対象とする消耗品をユーザが任意に選択することが可能であり、ユーザはスマートフォン５を操作して管理対象の消耗品を選択することができる。このような選択操作がユーザによるなされた場合、車両１から送信すべき情報も変化するため、スマートフォン５が交換時期判定に必要な情報を設定情報としてサーバ装置３へ通知し、サーバ装置３が設定情報を車両１のゲートウェイ装置１０へ送信する。この設定情報を受信したゲートウェイ装置１０が記憶部１２の送信可否テーブル１２ａを更新することによって、ゲートウェイ装置１０によるユーザの選択に適した情報送信が行われる。
【００３８】
図３は、サーバ装置３の構成を示すブロック図である。本実施の形態に係るサーバ装置３は、処理部（プロセッサ）３１、記憶部（ストレージ）３２及び通信部３３等を備えて構成されている。なお本実施の形態においてサーバ装置３は１つの装置で実現されるものとするが、これに限るものではなく、複数の装置の協働により実現されるものであってよい。サーバ装置３の処理部３１は、ＣＰＵ又はＭＰＵ等の演算処理装置を用いて構成され、記憶部３２に記憶されたプログラム（図示は省略する）を読み出して実行することにより、種々の演算処理及び制御処理等を行う。例えば処理部３１は、車両１のゲートウェイ装置１０から送信される車両情報を受信して記憶し、記憶した車両情報をスマートフォン５へ送信する処理、及び、スマートフォン５から送信される設定情報を受信して記憶し、記憶した設定情報をゲートウェイ装置１０へ送信する処理等を行う。
【００３９】
記憶部３２は、例えばハードディスクなどの大容量の記憶装置を用いて構成されている。記憶部３２は、処理部３１が実行するプログラム及びこの実行に必要なデータ等を記憶する。また本実施の形態に係るサーバ装置３の記憶部３２には、車両情報ＤＢ（データベース）３２ａ及び設定情報ＤＢ３２ｂが設けられている。車両情報ＤＢ３２ａは、車両１のゲートウェイ装置１０から受信した車両情報を蓄積するデータベースである。車両情報ＤＢ３２ａは、例えば各車両１に対して一意的に付される車両ＩＤに対応付けて、この車両１のゲートウェイ装置１０から受信した車両情報を記憶する。設定情報ＤＢ３２ｂは、ユーザが使用するスマートフォン５から受信した設定情報を記憶するデータベースである。設定情報ＤＢ３２ｂは、例えば各車両１の車両ＩＤに対応付けて、スマートフォン５から受信した設定情報を記憶する。なおサーバ装置３は、各車両１の車両ＩＤに対応するスマートフォン５の機器ＩＤ又はスマートフォン５を使用するユーザのユーザＩＤ等の情報を記憶しており、スマートフォン５から受信した設定情報がいずれの車両１に関するものであるかを判別することができる。
【００４０】
通信部３３は、例えばインターネット及び携帯電話通信網等のネットワークを介してスマートフォン５、ゲートウェイ装置１０及びディーラー端末装置７０等との間で情報の送受信を行う。通信部３３は、処理部３１から与えられた情報を他の装置へ送信すると共に、他の装置から受信した情報を処理部３１へ与える。
【００４１】
また本実施の形態に係るサーバ装置３の処理部３１には、記憶部３２に記憶されたプログラムが実行されることによって、車両情報受信部４１、車両情報送信部４２、設定情報受信部４３及び設定情報送信部４４等のソフトウェア的な機能ブロックが実現される。車両情報受信部４１は、車両１のゲートウェイ装置１０から送信される車両情報を通信部３３にて受信し、受信した車両情報を記憶部３２の車両情報ＤＢ３２ａに記憶する処理を行う。車両情報送信部４２は、スマートフォン５からの要求に応じて、車両情報ＤＢ３２ａに記憶された車両情報を、通信部３３にてスマートフォン５へ送信する処理を行う。
【００４２】
設定情報受信部４３は、スマートフォン５から送信される設定情報を通信部３３にて受信し、受信した設定情報を記憶部３２の設定情報ＤＢ３２ｂに記憶する処理を行う。設定情報送信部４４は、車両１のゲートウェイ装置１０からの要求に応じて、設定情報ＤＢ３２ｂに記憶された設定情報を、通信部３３にてゲートウェイ装置１０へ送信する処理を行う。
【００４３】
図４は、スマートフォン５の構成を示すブロック図である。本実施の形態に係るスマートフォン５は、処理部（プロセッサ）５１、記憶部（ストレージ）５２、通信部５３、表示部５４及び操作部５５等を備えて構成されている。処理部５１は、ＣＰＵ又はＭＰＵ等の演算処理装置を用いて構成され、記憶部５２に記憶されたプログラムを読み出して実行することにより、種々の演算処理及び制御処理等を行う。本実施の形態において処理部５１は、記憶部５２に記憶された車両消耗品管理アプリ５２ａを読み出して実行することにより、サーバ装置３から取得した車両情報に基づいて車両１の消耗品の交換時期を判定する処理、判定した交換時期を通知する処理、及び、交換時期の判定に用いられる判定条件の設定を受け付ける処理等を行う。
【００４４】
記憶部５２は、例えばフラッシュメモリなどの大容量の不揮発性のメモリ素子を用いて構成されている。記憶部５２は、処理部５１が実行するプログラム及びこの実行に必要なデータ等を記憶する。また本実施の形態に係るスマートフォン５の記憶部５２には、処理部５１が実行する車両消耗品管理アプリ５２ａ、及び、消耗品の交換時期判定に用いられる判定条件５２ｂが記憶されている。車両消耗品管理アプリ５２ａは、例えばスマートフォン用のアプリを配信するサーバ装置から予めダウンロードされて記憶部５２ａに記憶される。ただし、例えばメモリカード又は光ディスク等の記録媒体に記録された車両消耗品管理アプリ５２ａをスマートフォン５が読み出して記憶部５２に記憶してもよく、また例えば記憶部５２に車両消耗品管理アプリ５２ａがプリインストールされた状態でスマートフォン５が販売されてもよい。記憶部５２の判定条件５２ｂには、車両１の各消耗品について判定条件が記憶されている。
【００４５】
通信部５３は、例えば携帯電話通信網又は無線ＬＡＮ等の無線通信を行うことにより、サーバ装置３との間で通信を行うことができる。通信部５３は、サーバ装置３へ送信すべき情報が処理部５１から与えられた場合、この情報を変調した信号をアンテナから出力することによって情報の無線送信を行うと共に、アンテナにて受信した信号を復調してサーバ装置３からの情報を受信し、受信した情報を処理部５１へ与える。
【００４６】
表示部５４は、例えば液晶パネルを用いて構成され、処理部５１からの表示命令に応じて種々の画像を表示する。操作部５５は、例えば表示部５４の表示面上に設けられたタッチパネル、及び、スマートフォン５の筐体に設けられたプッシュスイッチ等により、ユーザのタッチ操作及びプッシュ操作等を検知し、検知結果を処理部５１へ与える。
【００４７】
また本実施の形態に係るスマートフォン５の処理部５１には、記憶部５２に記憶された車両消耗品管理アプリ５２ａが実行されることによって、車両情報受信部６１、交換時期判定部６２、設定操作受付部６３、条件変更部６４、設定情報送信部６５及び通知部６６等のソフトウェア的な機能ブロックが実現される。車両情報受信部６１は、通信部５３の通信にてサーバ装置３に対して車両情報の送信を要求し、この要求に対する応答としてサーバ装置３が送信する車両情報を受信し、受信した車両情報を記憶部５２に記憶する処理を行う。
【００４８】
交換時期判定部６２は、車両情報受信部６１が受信した車両情報と、記憶部５２に記憶された判定条件５２ｂとに基づいて、車両１の各消耗品の交換時期を判定する処理を行う。例えば車両１が１万ｋｍ走行する毎に交換することが推奨された消耗品が存在する場合、この消耗品について最近に交換を行った日時に関する情報と、交換日時から現時点までの間に車両１が走行した距離とに基づいて、交換時期判定部６２は、交換後の走行距離が判定条件である１万ｋｍを超えたか否かを判定する。本実施の形態においては、消耗品の交換日時及び車両１の走行距離を車両情報としてサーバ装置３からスマートフォン５が受信するものとする。ただし消耗品の交換日時についてはスマートフォン５が記憶及び管理等する構成であってもよい。またこの場合、記憶部５２の判定条件５２ｂには、走行距離が１万ｋｍを超えることが交換時期の判定条件として記憶されている。
【００４９】
また交換時期判定部６２は、走行距離が１万ｋｍを超えていない場合、走行距離が１万ｋｍに達するまでに残された距離を算出する。更に交換時期判定部６２は、例えば交換から現時点までの車両１の平均走行距離又は最近の平均走行距離等を算出し、消耗品の交換が必要になると予想される時期又は残時間等を判定する処理を行う。
【００５０】
設定操作受付部６３は、交換時期判定部６２が判定に用いる判定条件を変更するユーザの操作を、操作部５５にて受け付ける処理を行う。上記の例の場合、消耗品の判定条件として走行距離が１万ｋｍを超えるという条件が設定されているが、ユーザはこの閾値を例えば８千ｋｍ又は１万２千ｋｍ等の値に増減することができる。設定受付部６３は、ユーザによる設定操作を受け付けて、受け付けた操作に係る設定内容を条件変更部６４へ与える。条件変更部６４は、与えられた設定内容に応じて、記憶部５２の判定条件５２ｂを変更する処理を行う。
【００５１】
また設定操作受付部６３は、本システムの管理対象とする車両１の消耗品を選択するユーザの操作を、操作部５５にて受け付ける処理を行う。車両１には多数の消耗品が搭載されており、ユーザは必ずしも全ての消耗品について交換時期の通知を望むとは限らない。本実施の形態に係る車両消耗品管理システムでは、各消耗品についての通知を行うか否かをユーザが個別に設定することができる。設定操作受付部６３は、管理対象とする消耗品に関する設定操作を受け付けた場合に、受け付けた操作に係る設定内容を設定情報送信部６５へ与える。
【００５２】
設定情報送信部６５は、設定操作受付部６３にて管理対象とする消耗品に関するユーザの設定操作が受け付けられた場合に、この設定操作に応じた設定情報を、通信部５３にてサーバ装置３へ送信する処理を行う。例えば車両１はウィンドウウォッシャー液の残量を検知するセンサを有しており、このセンサの検知結果を車両情報としてサーバ装置３へ送信することが可能な構成である場合に、スマートフォン５にてウィンドウウォッシャー液を管理対象とする／管理対象としない旨の設定操作が行われたことに応じて、設定情報送信部６５は、ウィンドウウォッシャー液の残量検知結果の送信が必要／不要である旨を設定情報としてサーバ装置３へ送信する。ただし、例えばエンジンオイルの交換及びワイパーブレードゴムの交換が共に車両１の走行距離に基づいて交換時期の判定が行われる場合に、いずれか一方のみを管理対象としない旨の設定操作が行われたとしても、設定情報送信部６５は、走行距離の送信が不要である旨の設定情報は送信しない。設定情報送信部６５は、走行距離に基づいて判定が行われる全ての消耗品について管理対象としない旨の設定操作が行われた場合に、走行距離の送信が不要である旨の設定情報を送信する。車両１の消耗品と判定に用いられる車両情報との対応情報は、例えば記憶部５２に予め記憶されており、設定情報送信部６５は記憶された対応情報を参照して設定情報の生成及び送信を行う。
【００５３】
通知部６６は、交換時期判定部６２が判定した各消耗品の交換時期を通知する処理を行う。本実施の形態において通知部６６は、スマートフォン５の表示部５４に消耗品に係る情報を通知する通知画面を表示することによって、通知処理を行う。図５〜図７は、スマートフォン５が表示する通知画面の一例を示す模式図である。図５には、スマートフォン５にて車両消耗品管理アプリ５２ａが起動されて初めに表示される通知画面である。本例においてスマートフォン５が表示部５４に表示する通知画面の最上位の位置には、登録された車両１の車両名が表示され、その下に４つのタブが設けられている。本例のタブは「表示」、「消耗品」、「設定」及び「履歴」の４つであり、図５は「表示」のタブが選択された状態を示している。消耗品管理アプリ５２ａの起動直後は「表示」のタブが選択された状態となる。
【００５４】
「表示」タブが選択された状態の通知画面（図５参照）には、例えば車両１を前回に使用した日時に関する情報として「前回使用日時：２０１７年２月１３日」との表示と、前回に車両１を使用した際に走行した距離に関する情報として「前回走行距離：５．５ｋｍ」との表示とがなされている。これらの日時及び距離の情報は、サーバ装置３から受信する車両情報に含まれる情報である。また本例の通知画面の下段には、車両１に搭載された消耗品の交換時期に関する情報として「消耗品交換時期」の項目が設けられ、具体的な消耗品の交換時期として「エンジンオイル：２０１７年３月２８日」及び「エアコンフィルター：２０１７年４月１日」の情報が表示されている。なお「表示」タブの通知画面の下段に表示される消耗品の情報は、交換時期判定部６２が交換時期を超えていると判定した消耗品、及び、交換時期が近い消耗品に関するものであり、交換時期まで十分に時間が残されている消耗品に関する情報は表示されない。交換時期が”近い”消耗品とは、例えば交換時期判定部６２が判定した交換時期までの残り時間が１ヶ月などの所定時間より短いもの、又は、残り走行距離が１００ｋｍなどの所定距離より短いもの等とすることができる。図示の例では、車両１のエンジンオイル及びエアコンフィルターの交換時期が近い旨の通知がなされている。
【００５５】
「消耗品」タブが選択された状態の通知画面（図６参照）には、車両１に搭載された消耗品が一覧表示される。図示の例では、エンジンオイル、オイルフィルター、エアコンフィルター及びワイパーブレードゴムの４つの消耗品についての情報が一覧表示されている。また図示の例では、エンジンオイルに関する情報として「交換まで：２８７７ｋｍ又は２ヵ月」及び「交換時期：２０１７年４月１日」の情報が表示され、オイルフィルターに関する情報として「交換まで：次回オイル交換」及び「交換時期：２０１７年４月１日」の情報が表示され、エアコンフィルターに関する情報として「交換まで：１５００ｋｍ」及び「交換時期：２０１７年４月頃」の情報が表示され、ワイパーブレードゴムに関する情報として「交換まで：４ヶ月」及び「交換時期：２０１７年６月頃」の情報が表示されている。これらの表示は、車両１に搭載されている多数の消耗品の一部であり、ユーザは通知画面に対して上下方向へのスクロール操作を行うことによって他の消耗品に関する情報を表示させることができる。また各消耗品に対しては、交換までの走行距離又は期間と、交換時期との情報が付されるが、これらの情報は交換時期判定部６２の判定結果に基づくものである。なお本実施の形態においては、車両消耗品管理システムの管理対象とする消耗品をユーザが選択することが可能であるが、「消耗品」のタブの通知画面では管理対象として選択された消耗品が一覧表示され、管理対象として選択されていない消耗品は一覧表示に含まれない。
【００５６】
「設定」タブが選択された状態の通知画面（図７参照）には、車両１に搭載された消耗品の交換時期の判定条件が一覧表示されると共に、この通知画面においてユーザは設定変更操作を行うことができる。図示の例では、エンジンオイル、オイルフィルター、タイヤ及びエアコンフィルターの４つの消耗品についての情報が一覧表示されている。「設定」タブの通知画面においては、各消耗品に対して、交換時期の通知を行うか否かの設定として、「通知あり」又は「通知なし」のいずれかの表示が付される。ユーザは、「通知あり」又は「通知なし」の表示に対してタッチ操作を行うことによって、「通知あり」及び「通知あり」の２つの状態を交互に切り替えることができる。この切替操作の受け付けが、設定操作受付部６３による管理対象とする消耗品の選択操作の受け付けに相当する。
【００５７】
また「設定」タブの通知画面において「通知あり」の設定がなされた消耗品については、交換時期の判定条件が表示される。図示の例では、エンジンオイルの判定条件として「５０００ｋｍ又は６ヶ月」が設定され、オイルフィルターの判定条件として「オイル交換２回に１回」が設定され、エアコンフィルターの判定条件として「１万２千ｋｍ又は１年」が設定されている。「通知なし」の設定がなされたタイヤについては、判定条件は表示されていない。ユーザは、各消耗品の判定条件に対するタッチ操作を行うことによって、判定条件の入力画面（図示は省略する）を更に表示させ、条件となる数値の増減又は直接入力等を行うことができる。この判定条件の設定操作の受け付けが、設定操作受付部６３による設定操作の受け付けに相当する。
【００５８】
また「設定」タブの通知画面において、判定条件がユーザにより変更された消耗品については、この消耗品の交換時期の判定条件として推奨される「推奨条件」が表示される。図示の例では、エンジンオイルの判定条件をユーザが変更しており、エンジンオイルの推奨条件として「３０００ｋｍ又は６ヶ月」が表示されている。このような推奨条件を表示することによって、判定条件が変更されていること、及び、変更された判定条件が推奨条件とどの程度の際があるのか等をユーザに認識させることができる。
【００５９】
図８は、ディーラー端末装置７０の構成を示すブロック図である。本実施の形態に係るディーラー端末装置７０は、車両１のディーラー７に備えられたＰＣ（パーソナルコンピューター）又はタブレット型端末装置等の汎用のコンピュータに車両消耗品管理プログラム７２ａをインストールすることによって、本実施の形態に係る車両消耗品管理システムのための装置としたものである。ディーラー端末装置７０は、例えば車両１に関する情報及び車両１のユーザに関する情報等の管理を行う装置であり、本実施の形態においては車両１の消耗品の交換又は補充等をディーラー７が行った場合に交換日時の情報をサーバ装置３へ通知する装置として用いられる。
【００６０】
本実施の形態に係るディーラー端末装置７０は、処理部（プロセッサ）７１、記憶部（ストレージ）７２、通信部７３、表示部７４及び操作部７５等を備えて構成されている。処理部７１は、処理部７１は、ＣＰＵ又はＭＰＵ等の演算処理装置を用いて構成され、記憶部７２に記憶されたプログラムを読み出して実行することにより、種々の演算処理及び制御処理等を行う。本実施の形態において処理部７１は、記憶部７２に記憶された車両消耗品管理プログラム７２ａを読み出して実行することにより、車両１の消耗品の交換情報の入力を受け付ける処理及び受け付けた交換情報をサーバ装置３へ送信する処理等を行う。
【００６１】
記憶部７２は、例えばハードディスク装置又はフラッシュメモリ等の大容量の記憶装置を用いて構成されている。記憶部７２は、処理部７１が実行するプログラム及びこの実行に必要なデータ等を記憶する。また本実施の形態に係るディーラー端末装置７０の記憶部７２には、処理部７１が実行する車両消耗品管理プログラム７２ａが記憶されている。車両消耗品管理プログラム７２ａは、例えば光ディスク若しくはメモリカード等の記録媒体に記録されたもの、又は、プログラムを配信するサーバ装置からネットワークを介してダウンロードしたものが、予め記憶部７２にインストールされる。
【００６２】
通信部７３は、例えばインターネットを介した通信を行うことにより、サーバ装置３との間で通信を行うことができる。通信部７３は、処理部７１から与えられた情報をサーバ装置３へ送信すると共に、サーバ装置３から受信した情報を処理部７１へ与える。表示部７４は、例えば液晶ディスプレイを用いて構成され、ディーラー端末装置７０と一体的に設けられていてもよく、別体として設けられてもよい。表示部７４は、処理部７１からの表示命令に応じて種々の画像を表示する。操作部７５は、例えばマウス、キーボード及び表示部７４の表示面上に設けられたタッチパネル等によりユーザの操作を検知し、検知結果を処理部７１へ与える。
【００６３】
また本実施の形態に係るディーラー端末装置７０の処理部７１には、記憶部７２に記憶された車両消耗品管理プログラム７２ａが実行されることによって、交換情報入力受付部８１及び交換情報送信部８２等のソフトウェア的な機能ブロックが実現される。交換情報入力受付部８１は、例えばディーラー７にて車両１の点検又は修理等を行い、このときに交換又は補充等を行った消耗品に関する情報の入力を受け付ける処理を行う。交換情報送信部８２は、交換情報入力受付部８１が受け付けた交換情報を、通信部７３にてサーバ装置３へ送信する処理を行う。交換情報送信部８２がサーバ装置３へ送信する交換情報には、例えば車両１において交換された消耗品を識別する情報、及び、この消耗品が交換された日時情報等が含まれる。
【００６４】
ディーラー端末装置７０からの交換情報を受信したサーバ装置３は、この交換情報を記憶部３２の車両情報ＤＢ３２ａに登録する。その後、スマートフォン５から車両情報の取得が要求された場合、サーバ装置３の車両情報送信部４２が車両情報ＤＢ３２ａに登録された交換情報を車両情報に含めてスマートフォン５へ送信する。サーバ装置３からの車両情報に含まれる交換情報を受信したスマートフォン５は、例えば車両１の消耗品の交換日時を基準時点とし、この基準時点からの走行距離又は経過時間等を算出することによって交換時期を判定する。
【００６５】
なお本実施の形態においては、車両１の消耗品の交換又は補充等を行った場合に、ディーラー端末装置７０にて交換情報の入力を行う構成とするが、これに限るものではない。例えば交換情報の入力をユーザのスマートフォン５にて行う構成としてもよい。この構成の場合、交換情報の入力を受け付けたスマートフォン５は、交換情報をサーバ装置３へ送信してもよく、送信しなくてもよい。ただしスマートフォン５が交換情報をサーバ装置３へ送信する構成とすることによって、例えばユーザがＰＣ、タブレット型端末装置又は２台目のスマートフォン５等の他の端末装置にて車両１の消耗品に関する情報を共有することが可能となる。
【００６６】
次に、本実施の形態に係る車両消耗品管理システムの各装置が行う処理を、フローチャートを用いて説明する。なお、車両消耗品管理システムを利用するためには、ユーザがスマートフォン５に車両消耗品管理アプリ５２ａをインストールし、インストールした車両消耗品管理アプリ５２ａを起動してサーバ装置３との通信を行い、例えばユーザＩＤ、車両ＩＤ及びパスワード等の情報をサーバ装置３に予め登録しておく必要がある。また車両１のゲートウェイ装置１０についても、サーバ装置３との情報交換が可能となるように、情報をサーバ装置３に予め登録しておく必要がある（ただし、この情報登録はユーザが行うのではなく、車両１のディーラー７などにて行ってもよい）。これらの情報登録が正常に完了した後、ユーザは車両消耗品管理システムを利用することが可能となり、車両１のゲートウェイ装置１０からサーバ装置３への車両情報の送信が行われる。以後、ユーザはスマートフォン５にて車両消耗品管理アプリ５２ａを実行することにより、車両１の消耗品に関する情報を確認することができる。以下では、上記のような初期登録の手順については説明を省略し、初期登録が完了した後の処理を説明する。
【００６７】
図９は、車両１のゲートウェイ装置１０が行う処理の手順を示すフローチャートである。本実施の形態に係るゲートウェイ装置１０の処理部１１は、車両１のＩＧスイッチがオフ状態からオン状態へ切り替えられたか否かを判定する（ステップＳ１）。ＩＧスイッチがオン状態へ切り替えられていない場合（Ｓ１：ＮＯ）、処理部１１は、ＩＧスイッチがオン状態へ切り替えられるまで待機する。ＩＧスイッチがオン状態へ切り替えられた場合（Ｓ１：ＹＥＳ）、処理部１１は、無線通信部１４にてサーバ装置３との通信を行い、車両ＩＤ及びパスワード等の情報をサーバ装置３へ送信して、サーバ装置３との間で認証処理を行う（ステップＳ２）。なお本フローチャートにおいては、ゲートウェイ装置１０がサーバ装置３との認証処理に失敗した場合についての処理は図示を省略してある。
【００６８】
サーバ装置３との間で認証処理に成功した処理部１１の設定情報受信部２３は、サーバ装置３に対して設定情報の送信を要求し、この要求に対する応答としてサーバ装置３から送信される設定情報を受信することによって、サーバ装置３から設定情報を取得する（ステップＳ３）。処理部１１の設定更新部２４は、受信した設定情報に基づいて、記憶部１２に記憶された送信可否テーブル１２ａを更新する（ステップＳ４）。
【００６９】
次いで処理部１１の情報収集部２１は、車内通信部１３にて車両１のＥＣＵ２から情報を受信し（ステップＳ５）、受信した情報を記憶部１２に記憶する。処理部１１の車両情報送信部２２は、記憶部１２に記憶された送信可否テーブル１２ａを参照し、ＥＣＵ２から受信した情報は送信が許可されているか否かを判定する（ステップＳ６）。情報の送信が許可されている場合（Ｓ６：ＹＥＳ）、車両情報送信部２２は、ＥＣＵ２から受信した情報を無線通信部１４にてサーバ装置へ送信し（ステップＳ７）、ステップＳ８へ処理を進める。情報の送信が許可されていない場合（Ｓ６：ＮＯ）、車両情報送信部２２は、ＥＣＵ２から受信した情報をサーバ装置３へ送信せずに、ステップＳ８へ処理を進める。
【００７０】
次いで処理部１１は、車両１のＩＧスイッチがオン状態からオフ状態へ切り替えられたか否かを判定する（ステップＳ８）。ＩＧスイッチがオフ状態へ切り替えられていない場合（Ｓ８：ＮＯ）、処理部１１は、ステップＳ５へ処理を戻し、車両情報の送信を繰り返して行う。ＩＧスイッチがオフ状態へ切り替えられた場合（Ｓ８：ＹＥＳ）、処理部１１は、車両情報の送信処理を終了する。
【００７１】
図１０は、サーバ装置３が行う処理の手順を示すフローチャートである。本実施の形態に係るサーバ装置３の処理部３１の設定情報送信部４４は、通信部３３にてゲートウェイ装置１０からの設定情報の送信要求を受信したか否かを判定する（ステップＳ１１）。設定情報の送信要求を受信した場合（Ｓ１１：ＹＥＳ）、設定情報送信部４４は、記憶部３２の設定情報ＤＢ３２ｂに記憶されている設定情報を読み出して要求元のゲートウェイ装置１０へ送信し（ステップＳ１２）、ステップＳ１３へ処理を進める。設定情報の送信要求を受信していない場合（Ｓ１１：ＮＯ）、設定情報送信部４４は、設定情報の送信を行うことなく、ステップＳ１３へ処理を進める。
【００７２】
処理部３１の車両情報受信部４１は、通信部３３にてゲートウェイ装置１０からの車両情報を受信したか否かを判定する（ステップＳ１３）。車両情報を受信した場合（Ｓ１３：ＹＥＳ）、車両情報受信部４１は、受信した車両情報を記憶部３２の車両情報ＤＢ３２ａに記憶して（ステップＳ１４）、ステップＳ１５へ処理を進める。車両情報を受信していない場合（Ｓ１３：ＮＯ）、車両情報受信部４１は、ステップＳ１５へ処理を進める。
【００７３】
処理部３１の車両情報送信部４２は、通信部３３にてスマートフォン５からの車両情報の送信要求を受信したか否かを判定する（ステップＳ１５）。車両情報の送信要求を受信した場合（Ｓ１５：ＹＥＳ）、車両情報送信部４２は、記憶部３２の車両情報ＤＢ３２ａに記憶されている車両情報を読み出して要求元のスマートフォン５へ送信し（ステップＳ１６）、ステップＳ１７へ処理を進める。車両情報の送信要求を受信していない場合（Ｓ１５：ＮＯ）、車両情報送信部４２は、車両情報の送信を行うことなく、ステップＳ１７へ処理を進める。
【００７４】
処理部３１の設定情報受信部４３は、通信部３３にてスマートフォン５からの設定情報を受信したか否かを判定する（ステップＳ１７）。設定情報を受信した場合（Ｓ１７：ＹＥＳ）、設定情報受信部４３は、受信した設定情報を記憶部３２の設定情報ＤＢ３２ｂに記憶して（ステップＳ１８）、ステップＳ１９へ処理を進める。設定情報を受信していない場合（Ｓ１７：ＮＯ）、設定情報受信部４３は、ステップＳ１９へ処理を進める。
【００７５】
処理部３１は、通信部３３にてディーラー端末装置７０からの交換情報を受信したか否かを判定する（ステップＳ１９）。交換情報を受信した場合（Ｓ１９：ＹＥＳ）、処理部３１は、受信した交換情報を記憶部３２の車両情報ＤＢ３２ａに記憶して（ステップＳ２０）、ステップＳ２１へ処理を進める。交換情報を受信していない場合（Ｓ１９：ＮＯ）、処理部３１は、ステップＳ２１へ処理を進める。
【００７６】
処理部３１は、通信部３３にてゲートウェイ装置１０、スマートフォン５又はディーラー端末装置７０からの認証要求を受信したか否かを判定する（ステップＳ２１）。認証要求を受信した場合（Ｓ２１：ＹＥＳ）、処理部３１は、認証要求元の装置との間でＩＤ及びパスワード等の情報を送受信して認証処理を行い（ステップＳ２２）、ステップＳ１１へ処理を戻す。認証要求を受信していない場合（Ｓ２１：ＮＯ）、処理部３１は、認証処理を行うことなく、ステップＳ１１へ処理を戻す。
【００７７】
図１１は、スマートフォン５が行う処理の手順を示すフローチャートである。本実施の形態に係るスマートフォン５の処理部５１は、記憶部５２に記憶された車両消耗品管理アプリ５２ａを実行することにより車両１の消耗品管理に関する処理を開始する。処理部５１は、通信部５３にてサーバ装置３との通信を行い、ユーザＩＤ及びパスワード等の情報をサーバ装置３へ送信して、サーバ装置３との間で認証処理を行う（ステップＳ３１）。なお本フローチャートにおいては、スマートフォン５がサーバ装置３との認証処理に失敗した場合についての処理は図示を省略してある。
【００７８】
サーバ装置３との間で認証処理に成功した処理部５１の車両情報受信部６１は、サーバ装置３に対して車両情報の送信を要求し、この要求に対する応答としてサーバ装置３から送信される車両情報を受信することによって、サーバ装置３から車両情報を取得する（ステップＳ３２）。処理部５１の交換時期判定部６２は、受信した車両情報と、記憶部５２に記憶された判定条件５２ｂとに基づいて、車両１の消耗品の交換時期を判定する処理を行う（ステップＳ３３）。
【００７９】
次いで処理部５１の通知部６６は、ステップＳ３３にて行った交換時期の判定結果に基づいて、車両１の消耗品の交換時期を通知する通知画面を表示部５４に表示する（ステップＳ３４）。通知画面の表示後に、処理部５１の設定操作受付部６３は、消耗品の交換時期を判定するための判定条件の設定操作を操作部５５にて受け付けたか否かを判定する（ステップＳ３５）。判定条件の設定操作を受け付けた場合（Ｓ３５：ＹＥＳ）、処理部５１の条件変更部６４は、受け付けた設定操作に応じて記憶部５２に記憶されている判定条件５２ｂを変更し（ステップＳ３６）、ステップＳ３７へ処理を進める。判定条件の設定操作を受け付けていない場合（Ｓ３５：ＮＯ）、処理部５１は、ステップＳ３７へ処理を進める。
【００８０】
処理部５１の設定操作受付部６３は、本システムの管理対象とする車両１の消耗品を選択するユーザの設定操作を操作部５５にて受け付けたか否かを判定する（ステップＳ３７）。消耗品の設定操作を受け付けた場合（Ｓ３７：ＹＥＳ）、処理部５１の設定情報送信部６５は、受け付けた設定操作に応じた設定情報を生成し、生成した設定情報を通信部５３にてサーバ装置３へ送信して（ステップＳ３８）、ステップＳ３９へ処理を進める。消耗品の設定操作を受け付けていない場合（Ｓ３７：ＮＯ）、処理部５１は、ステップＳ３９へ処理を進める。
【００８１】
処理部５１は、車両消耗品管理アプリ５２ａの終了操作を操作部５５にて受け付けたか否かを判定する（ステップＳ３９）。終了操作を受け付けていない場合（Ｓ３９：ＮＯ）、処理部５１は、ステップＳ３４へ処理を戻し、通知画面の表示及び設定操作の受け付け等の処理を繰り返して行う。終了操作を受け付けた場合（Ｓ３９：ＹＥＳ）、処理部５１は、車両消耗品管理アプリ５２ａの処理を終了する。
【００８２】
図１２は、ディーラー端末装置７０が行う処理の手順を示すフローチャートである。本実施の形態に係るディーラー端末装置７０の処理部７１の交換情報入力受付部８１は、車両１の消耗品の交換に関する情報の入力が操作部７５にてなされたか否かを判定する（ステップＳ５１）。交換情報の入力がなされていない場合（Ｓ５１：ＮＯ）、交換情報入力受付部８１は、交換情報が入力されるまで待機する。交換情報の入力がなされた場合（Ｓ５１：ＹＥＳ）、交換情報入力受付部８１は、交換情報の入力を受け付ける（ステップＳ５２）。次いで処理部７１の交換情報送信部８２は、入力を受け付けた交換情報を、通信部７３にてサーバ装置３へ送信し（ステップＳ５３）、処理を終了する。
【００８３】
以上の構成の本実施の形態に係る車両消耗品管理システムは、車両１に搭載されたゲートウェイ装置１０が車両１の消耗品に関する情報を収集してサーバ装置３へ送信し、サーバ装置３が受信した車両情報を記憶部３２の車両情報ＤＢ３２ａに記憶する。ユーザが使用するスマートフォン５は、サーバ装置３から車両情報を受信し、受信した車両情報と記憶部５２に記憶された判定条件５２ｂとに基づいて、車両１の消耗品の交換又は補充等を行うべき時期を判定し、判定結果を通知画面として表示部５４に表示してユーザに通知する。またスマートフォン５は、交換時期を判定するための判定条件の設定操作を操作部５５にて受け付けて、記憶部５２に記憶された判定条件５２ｂの変更を行う。これにより、車両１の消耗品の交換又は補充等の時期を判定する判定条件にユーザの意志を反映させることが可能となる。またスマートフォン５にて判定条件の設定操作を受け付けることによって、ユーザが設定操作を行う利便性を向上することができる。
【００８４】
またゲートウェイ装置１０は、情報の種別（情報のＩＤ）毎に車外への送信可否の設定を記憶部１２の送信可否テーブル１２ａに記憶しておき、送信可否テーブル１２ａにて送信が許可された情報をサーバ装置３へ送信し、送信が許可されていない情報は送信しない。これによりゲートウェイ装置１０からサーバ装置３へ不要な情報が送信されることを抑制し、通信の負荷を低減できる。またスマートフォン５は、本システムの管理対象とする車両１の消耗品を選択するユーザの設定操作、即ちゲートウェイ装置１０の送信可否テーブル１２ａの設定に係る操作を操作部５５にて受け付けて、受け付けた操作に応じた設定情報をサーバ装置３へ送信する。スマートフォン５から設定情報を受信したサーバ装置３は、受信した設定情報を記憶部３２の設定情報ＤＢ３２ｂに記憶すると共に、設定情報をゲートウェイ装置１０へ送信する。ゲートウェイ装置１０は、サーバ装置３から受信した設定情報に基づいて記憶部１２に記憶された送信可否テーブル１２ａの更新を行う。これにより、ユーザの意志を反映させて、ゲートウェイ装置１０による情報の送信を制限することができる。
【００８５】
またスマートフォン５は、交換時期に至った消耗品又は交換時期まで所定期間内に至った消耗品に関する情報を含む第１通知画面（図５参照）を表示部５４に表示する。これによりユーザは、スマートフォン５に表示された第１通知画面を見ることによって、車両１の消耗品の交換要否を容易に判断することができる。
【００８６】
またスマートフォン５は、車両１の消耗品と交換時期とを対応付けて一覧表示する第２通知画面（図６参照）を表示部５４に表示する。これによりユーザは、スマートフォン５に表示された第２通知画面を見ることによって、車両１にどのような消耗品が備えられているか、及び、各消耗品の交換時期がどの程度迫っているか等を容易に把握することができる。
【００８７】
またスマートフォン５は、車両１の各消耗品について交換時期判定に用いる判定条件を対応付けて一覧表示する判定条件通知画面（図７参照）を表示部５４に表示すると共に、この判定条件通知画面にて判定条件の設定操作を受け付ける。これによりユーザは、各消耗品がどのような条件で交換が必要となるのかを容易に把握することができると共に、各自の判断で判定条件を容易に変更することができる。またスマートフォン５は、各消耗品について設定されている判定条件を表示すると共に、推奨される判定条件を表示する。これによりユーザは、判定条件が変更されているか否かを容易に判断することができると共に、自らが設定した判定条件と推奨される判定条件との差異を容易に把握することができる。
【００８８】
なお本実施の形態においては、交換時期の判定をスマートフォン５が行う構成としたが、これに限るものではない。例えば交換時期の判定をサーバ装置３が行う構成としてもよい。この構成の場合、交換時期の判定処理に用いる判定条件をサーバ装置３が記憶し、スマートフォン５にて判定条件の設定操作を受け付けた場合には、受け付けた判定条件をスマートフォン５がサーバ装置３へ送信する。サーバ装置３は、スマートフォン５から車両情報の送信を要求された場合に、消耗品の交換時期の判定を行い、車両情報と共に交換時期の判定結果をスマートフォン５へ送信する。スマートフォン５は、サーバ装置３から受信した車両情報及び交換時期の判定結果に基づいて通知画面の表示を行う。また更には、サーバ装置３が通知画面を生成してスマートフォン５へ送信し、これを受信したスマートフォン５が通知画面の表示を行う構成としてもよい。
【符号の説明】
【００８９】
１  車両
２  ＥＣＵ
３  サーバ装置
５  スマートフォン
７  ディーラー
１０  ゲートウェイ装置
１１  処理部
１２  記憶部
１２ａ  送信可否テーブル
１３  車内通信部
１４  無線通信部
２１  情報収集部
２２  車両情報送信部
２３  設定情報受信部
２４  設定更新部
３１  処理部
３２  記憶部
３２ａ  車両情報ＤＢ
３２ｂ  設定情報ＤＢ
３３  通信部
４１  車両情報受信部
４２  車両情報送信部
４３  設定情報受信部
４４  設定情報送信部
５１  処理部
５２  記憶部
５２ａ  車両消耗品管理アプリ
５２ｂ  判定条件
５３  通信部
５４  表示部
５５  操作部
６１  車両情報受信部
６２  交換時期判定部
６３  設定操作受付部
６４  条件変更部
６５  設定情報送信部
６６  通知部
７０  ディーラー端末装置
７１  処理部
７２  記憶部
７２ａ  車両消耗品管理プログラム
７３  通信部
７４  表示部
７５  操作部
８１  交換情報入力受付部
８２  交換情報送信部
【図１】
2018149825.tif 000003
【図２】
2018149825.tif 000004
【図３】
2018149825.tif 000005
【図４】
2018149825.tif 000006
【図５】
2018149825.tif 000007
【図６】
2018149825.tif 000008
【図７】
2018149825.tif 000009
【図８】
2018149825.tif 000010
【図９】
2018149825.tif 000011
【図１０】
2018149825.tif 000012
【図１１】
2018149825.tif 000013
【図１２】
2018149825.tif 000014